(57)【特許請求の範囲】
【請求項１】
左右の縦枠と上下の横枠とにより枠組みされた枠体と、
前記枠体内に配置され、第１框体を有する第１障子と、
前記枠体内の下方に配置され、第２框体を有する第２障子と、を備える建具であって、
屋内側に面している前記第２框体の見付面には、前記第２障子の施錠／解錠の切換えを行う施錠機構の第１操作部材と、前記第２障子が解錠状態とされたときの解錠状態位置よりも、見込方向へ傾斜した状態となる前記第２障子の作業位置への移動を可能／不能とする切換えを行う切換機構の第２操作部材と、が配置され、
前記第１操作部材と前記第２操作部材とは、隣接して配置され、
前記第２障子が施錠された状態から解錠されるときの前記第１操作部材の操作方向と、前記第２障子の作業位置への移動を不能とする状態から移動を可能とする状態へと切換えるときの前記第２操作部材の操作方向とは、それぞれ見付面に沿った方向であり、且つ、互いに反対の方向である建具。
【請求項２】
前記第２障子は、前記第１操作部材により前記第２障子が解錠状態とされたときに見込方向に傾斜可能であり、
前記第１操作部材によって前記第２障子が解錠状態とされ、且つ、前記第２操作部材によって、前記第２障子の作業位置への移動を可能とする作業位置移動可能状態とされたときに、前記第２障子は、前記第２障子が見込方向に傾斜した解錠状態位置よりも、更に見込方向へ傾斜した作業位置へ傾斜可能となる請求項１に記載の建具。
【発明の詳細な説明】
【技術分野】
【０００１】
本発明は、建具に関する。
【背景技術】
【０００２】
従来、枠体と、枠体内の上部に配置される上障子と、枠体内の下部に配置される下障子と、を備え、閉鎖状態で、上障子及び下障子が同一平面内に配置される上げ下げ窓（建具）、いわゆるフラットスライド構造を備える上げ下げ窓が知られている（例えば、特許文献１参照）。
【０００３】
特許文献１に記載の上げ下げ窓においては、ラッチ錠装置の操作部を操作することにより、下障子が解錠され、下障子が見込方向へ引かれて斜めの状態とされ、更に見付方向（上方向）へ引き上げ可能となるのであるが、このように、下障子を見込方向へ引いた斜めの状態から、上方向へ引き上げずに、更に見込方向へ倒した状態（作業状態）として、下障子の清掃等を行うことが可能である。
【先行技術文献】
【特許文献】
【０００４】
【特許文献１】特開２０１６−１４２４７号公報
【発明の概要】
【発明が解決しようとする課題】
【０００５】
上記特許文献１においては、下障子を作業状態とするための、状態を切換えるためのラッチ部材が、下障子の上面に配置されており、下障子の上面においてラッチ部材を操作する必要があった。このため、状態を切換えるための操作性の向上が求められていた。
【０００６】
本発明は上記に鑑みてなされたものであり、上げ下げ窓を作業状態に切換える操作をし易い建具を提供することを目的とする。
【課題を解決するための手段】
【０００７】
上記目的を達成するため本発明は、左右の縦枠（例えば、後述の縦枠１３，１４）と上下の横枠（例えば、後述の上枠１１、下枠１２）とにより枠組みされた枠体（例えば、後述の枠体１０）と、前記枠体内に配置され、第１框体（例えば、後述の上側框体２０）を有する第１障子（例えば、後述の上障子２）と、前記枠体内の下方に配置され、第２框体（例えば、後述の下側框体３０）を有する第２障子（例えば、後述の下障子３）と、を備える建具（例えば、後述の建具１）であって、屋内側に面している前記第２框体の見付面には、前記第２障子の施錠／解錠の切換えを行う施錠機構の第１操作部材（例えば、後述の第１操作部材７５）と、前記第２障子が解錠状態とされたときの解錠状態位置よりも、見込方向へ傾斜した状態となる前記第２障子の作業位置への移動を可能／不能とする切換えを行う切換機構の第２操作部材（例えば、後述の第２操作部材７６）と、が配置されている建具を提供する。
【０００８】
また、前記第１操作部材と前記第２操作部材とは、隣接して配置され、前記第２障子が施錠された状態から解錠されるときの前記第１操作部材の操作方向と、前記第２障子の作業位置への移動を不能とする状態から移動を可能とする状態へと切換えるときの前記第２操作部材の操作方向とは、それぞれ見付面に沿った方向であり、且つ、互いに反対の方向であることが好ましい。
【０００９】
また、前記第２障子は、前記第１操作部材により前記第２障子が解錠状態とされたときに見込方向に傾斜可能であり、前記第１操作部材によって前記第２障子が解錠状態とされ、且つ、前記第２操作部材によって、前記第２障子の作業位置への移動を可能とする作業位置移動可能状態とされたときに、前記第２障子は、前記第２障子が見込方向に傾斜した解錠状態位置よりも、更に見込方向へ傾斜した作業位置へ傾斜可能となることが好ましい。
【発明の効果】
【００１０】
本発明によれば、上げ下げ窓を作業状態に切換える操作をし易い建具を提供できる。
【図面の簡単な説明】
【００１１】
【図１】本発明の一実施形態に係る上げ下げ窓を屋内側から見た正面図である。
【図２】本実施形態に係る上げ下げ窓の縦断面図である。
【図３Ａ】本実施形態に係る上げ下げ窓の縦断面図において主に上障子が配置される部分の拡大図である。
【図３Ｂ】本実施形態に係る上げ下げ窓の縦断面図において主に下障子が配置される部分の拡大図である。
【図４】本実施形態に係る上げ下げ窓の上障子が配置される部分の横断面図である。
【図５】本実施形態に係る上げ下げ窓の上障子が配置される部分の拡大横断面図である。
【図６】本実施形態に係る上げ下げ窓の下障子が見込方向へ移動した様子を示す斜視図である。
【図７】本実施形態に係る上げ下げ窓のロック機構を示す平面視の説明図である。
【図８Ａ】本実施形態に係る上げ下げ窓のロック機構が施錠状態且つ作業位置移動不能状態である様子を見込方向から見た説明図である。
【図８Ｂ】本実施形態に係る上げ下げ窓のロック機構が解錠状態且つ作業位置移動不能状態である様子を見込方向から見た説明図である。
【図８Ｃ】本実施形態に係る上げ下げ窓のロック機構が解錠状態且つ作業位置移動可能状態である様子を見込方向から見た説明図である。
【図８Ｄ】本実施形態に係る上げ下げ窓のロック機構が施錠状態且つ作業位置移動可能状態である様子を見込方向から見た説明図である。
【図９】本実施形態に係る上げ下げ窓の係止部に被係止部を係止させた様子を示す拡大斜視図である。
【図１０】本実施形態に係る上げ下げ窓の下障子のガイドに、ワイヤーの環状とされた下端部を係止させた様子を示す拡大斜視図である。
【図１１】本実施形態に係る上げ下げ窓の下障子を枠体に配置させる様子を示す斜視図である。
【発明を実施するための形態】
【００１２】
以下、本発明の一実施形態について、図面を参照して詳しく説明する。
図１は、本発明の一実施形態に係る上げ下げ窓１を屋内側から見た正面図である。図２は、本実施形態に係る上げ下げ窓１の縦断面図である。図３Ａは、本実施形態に係る上げ下げ窓１の縦断面図において主に上障子２が配置される部分の拡大図である。図３Ｂは、本実施形態に係る上げ下げ窓１の縦断面図において主に下障子３が配置される部分の拡大図である。図４は、本実施形態に係る上げ下げ窓１の上障子２が配置される部分の横断面図である。図５は、本実施形態に係る上げ下げ窓１の上障子２が配置される部分の拡大横断面図である。図６は、本実施形態に係る上げ下げ窓１の下障子３が見込方向へ移動した様子を示す斜視図である。図７は、本実施形態に係る上げ下げ窓１のロック機構７０を示す平面視の説明図である。
なお、本明細書において、「見付方向」とは、建物の壁に形成された開口部に納められた上げ下げ窓１におけるガラスの面方向を意味し、「見込方向」とは、上記ガラスの厚さ方向（即ち、奥行き方向）を意味する。
【００１３】
本実施形態の建具としての上げ下げ窓１は、図示しない建物の壁に形成された開口部に納められる。図１に示すように、上げ下げ窓１は、建物の開口部に取り付けられる枠体１０と、枠体１０内の上部に配置された上障子２（第１障子）と、枠体１０内の下部に配置され上下方向に移動可能に納められた下障子３（第２障子）と、を備える。
【００１４】
本実施形態の上げ下げ窓１は、上障子２が枠体１０内の上部に固定されており、下障子３が枠体１０内を上下方向に移動可能に構成され、閉鎖時に下障子３が上障子２の下方に配置される。なお、下障子３は、枠体１０内を上方側に移動する場合には、枠体１０内において、上障子２よりも見込方向の屋内側にわずかに移動しながら上方側に移動するように構成される。
【００１５】
枠体１０は、図１に示すように、上枠１１と、下枠１２と、左右の縦枠１３，１４と、中枠１５により矩形に枠組みされて形成される。上枠１１、下枠１２、及び左右の縦枠１３，１４、中枠１５は、例えば塩化ビニル樹脂等の合成樹脂材料で形成され、押出し成形品により構成される。
【００１６】
本実施形態においては、上枠１１、下枠１２、及び左右の縦枠１３，１４、中枠１５は、略同一の構成を有する。そのため、対応する構成については同様の規則性を持って符号を付し、その説明を省略する。従って、以下では、上枠１１の構成のみについて説明し、下枠１２及び左右の縦枠１３，１４、中枠１５の構成は、上枠１１と相違する構成についてのみ説明する。
【００１７】
上枠１１は、長尺状に形成される。上枠１１は、図２に示すように、上枠１１が延びる方向に直交する断面において、複数の空気室を有する格子状に形成され、全体として、上障子２及び下障子３が配置される下方側が開放する断面略Ｕ字形状に形成される。
【００１８】
上枠１１は、図３に示すように、上部に配置され見込方向に延びる上部外枠１１３と、上部外枠１１３の屋内外側の端部から下方に延びる外側縦枠１１１と、上部外枠１１３の屋内側の端部から下方に延びる内側縦枠１１２と、を有する。外側縦枠１１１は、上下方向において、内側縦枠１１２よりも、下方側の長さが長く形成される。
【００１９】
上部外枠１１３の下面（内面）には、上部外枠１１３の下面（内面）から下方に突出する２つの突出部１１３ａ，１１３ｂが形成される。突出部１１３ａ，１１３ｂは、上部外枠１１３の下面から下方に立設される。
【００２０】
内側縦枠１１２は、下方側において、下方に延出する延出部１１２ａを有する。外側縦枠１１１の下端部には、屋内側に向けて開放する係止溝１１１ａが形成されている。
【００２１】
枠体１０の左右の縦枠１３，１４の互いに対向する面の側には、図示しないガイド溝、ガイド溝１４５ａ（図６等参照）と、図示しないアーム部ガイド溝、アーム部ガイド溝１４６ａとが上下方向に延びて形成されている。図示しないガイド溝、ガイド溝１４５ａは、下障子３のガイド３３１、３４１を案内する。図示しないアーム部ガイド溝、アーム部ガイド溝１４６ａには、図示しない被アーム部ガイド、被アーム部ガイド１４６ｂが、図示しないアーム部ガイド溝、アーム部ガイド溝１４６ａ内を摺動可能に設けられており、図示しないアーム部ガイド溝、アーム部ガイド溝１４６ａは、図示しない被アーム部ガイド、被アーム部ガイド１４６ｂを案内する。
【００２２】
また、縦枠１３、１４には、バランサー１３７、バランサー１４７が設けられている。バランサー１３７、バランサー１４７は、縦枠１３、１４の上端部であって、ガイド溝１３５ａ、１４５ａ内に配置されている。バランサー１３７、バランサー１４７は、線状部材としてのワイヤー１３７ａ、１４７ａを巻き上げる図示しない巻き上げばねを有しており、巻き上げばねには、ワイヤー１３７ａ、１４７ａの上端部が連結されている。ワイヤー１３７ａ、１４７ａの下端部は、環状とされ、ガイド３３１、３４１に係止されて接続されている。ワイヤー１３７ａ、１４７ａの中間部分には、板状の金属片がワイヤー１３７ａ、１４７ａの周囲に環装されて固定された図示しない被係止部、被係止部１４７ｂ（図９参照）が設けられている。
【００２３】
上障子２は、図１に示すように、上げ下げ窓１の閉鎖状態で枠体１０内の上部に配置される。上障子２は、図３Ａ及び図５に示すように、上側上框２１（上框）と、上側下框２２（下框）と、左右の上側縦框２３，２４（縦框）と、により矩形に框組みされて形成された上側框体２０（第１框体）と、該上側框体２０内に嵌め込まれた上側ガラス２００（第１面材）と、を備える。
【００２４】
上側上框２１、上側下框２２、及び左右の上側縦框２３，２４には、それぞれ、内側（障子側）に開口して形成される溝２１ａ，２２ａ，２３ａ，２４ａが形成される。溝２１ａ，２２ａ，２３ａ，２４ａには、上側ガラス２００の側端部が配置される。
【００２５】
上側上框２１、上側下框２２、及び左右の上側縦框２３，２４が延びる方向に直交する断面形状は、図３Ａ及び図５に示すように、同一である。上側上框２１、上側下框２２、及び左右の上側縦框２３，２４は、例えば塩化ビニル樹脂等の合成樹脂材料で形成され、押出し成形品により構成される。
【００２６】
上側ガラス２００は、図３Ａ及び図５に示すように、屋内側の板ガラス２０１と、屋外側の板ガラス２０２と、これら２枚の板ガラスで挟持されたスペーサ２０３と、を備える複層ガラスである。上側ガラス２００は、ガスケット２０ａを介して上側框体２０により挟持されている。この複層ガラスで構成された上側ガラス２００は、優れた断熱性を有する。
【００２７】
下障子３は、図１、図２に示すように、上げ下げ窓１の閉鎖状態で、枠体１０内の下方であって屋内側に配置される。下障子３は、枠体１０内に上下方向（見付方向）に移動可能に設けられる。下障子３は、図３Ｂ及び図６に示すように、下側上框３１（上框）と、下側下框３２（下框）と、左右の下側縦框３３，３４（縦框）と、により矩形に框組みされて形成された下側框体３０（第２框体）と、該下側框体３０内に嵌め込まれた下側ガラス３００（第２面材）と、を備える。
【００２８】
下側上框３１、下側下框３２、及び左右の下側縦框３３，３４には、それぞれ、内側（障子側）に開口して形成される溝３１ａ，３２ａ，図示しない溝、が形成される。溝３１ａ，３２ａ，図示しない溝には、上側ガラス２００の側端部が配置される。
【００２９】
下側上框３１、下側下框３２、及び左右の下側縦框３３，３４が延びる方向に直交する断面形状は、図３Ｂ及び図５等に示すように、同一である。下側上框３１、下側下框３２、及び左右の下側縦框３３，３４は、例えば塩化ビニル樹脂等の合成樹脂材料で形成され、押出し成形品により構成される。
【００３０】
下側ガラス３００は、図３Ｂ及び図４に示すように、屋内側の板ガラス３０１と、屋外側の板ガラス３０２と、これら２枚の板ガラスで挟持されたスペーサ３０３と、を備える複層ガラスである。下側ガラス３００は、ガスケット３０ａを介して下側框体３０により挟持されている。この複層ガラスで構成された下側ガラス３００は、優れた断熱性を有する。
【００３１】
本実施形態においては、上障子２の上側上框２１、上側下框２２、及び左右の上側縦框２３，２４の断面形状と、下障子３の下側上框３１、下側下框３２、及び左右の下側縦框３３，３４の断面形状とは、配置される向きが異なるが、同一の形状である。即ち、上障子２の上側上框２１、上側下框２２、及び左右の上側縦框２３，２４、下障子３の下側上框３１、下側下框３２、及び左右の下側縦框３３，３４は、断面形状は全て同一である。
なお、本実施形態においては、框を特に区別する必要がない場合には、上障子２の上側上框２１、上側下框２２、及び左右の上側縦框２３，２４、下障子３の下側上框３１、下側下框３２、及び左右の下側縦框３３，３４の説明において、上障子２の上側上框２１、上側下框２２、及び左右の上側縦框２３，２４、下障子３の下側上框３１、下側下框３２、及び左右の下側縦框３３，３４を、単に框４０という。
【００３２】
本実施形態においては、上障子２の上側上框２１、上側下框２２、下障子３の下側上框３１、下側下框３２は、上下方向において厚さを有する。また、上障子２の左右の上側縦框２３，２４、下障子３の左右の下側縦框３３，３４は、左右方向に厚さを有する。そのため、本実施形態においては、「框４０の厚さ方向」とは、框４０が延びる方向及び見込方向に直交する方向を意味する。
【００３３】
框４０は、図３Ａ〜図５に示すように、屋外側に配置される屋外側框４１と、屋外側框４１における框４０の厚さ方向の外側の端部から屋内側に延びる屋内側框４２と、を有する。
【００３４】
屋外側框４１は、第１枠部４１２と、第１枠部４１２よりも厚さ方向の内側に形成される第２枠部４１３と、を有する。第２枠部４１３は、屋内側に向けて開口する。
【００３５】
屋内側框４２は、屋外側框４１における厚さ方向の外側の端部から屋内側に延びる。屋内側框４２は、見込方向に延びる空気室４２１を形成する第３枠部４２２を有する。
【００３６】
また、下障子３の下部には、ガイド３３１、３４１が設けられている。ガイド３３１、３４１は、下障子３の下部から左右方向における端面から左右方向の外側へ突出する延出基部３３１ａ、３４１ａと、延出基部３３１ａ、３４１ａの突出端部に設けられた円柱状部３３１ｂ、３４１ｂと、を有している。バランサー１３７、バランサー１４７から延びるワイヤー１３７ａ、１４７ａの端部の環状の部分を係止可能なワイヤー係止溝３３１ｃ、図示しないワイヤー係止溝、が形成されている。また、ガイド３３１、３４１よりも上方に位置している下障子３の下側縦框３３，３４の上端部の左右端部には、下障子に対して回動可能にアーム部３３２、図示しないアーム部、の一端部が支持されている。アーム部３３２の他端部、図示しないアーム部の他端部には、先端がフランジ状に拡径した円形状の係止凸部３３２ａ、図示しない係止凸部が設けられている。係止凸部３３２ａ、図示しない係止凸部が、図示しない被アーム部ガイド、被アーム部ガイド１４６ｂに形成された溝部に挿入されることにより、アーム部３３２、図示しないアーム部の他端部は、図示しない被アーム部ガイド、被アーム部ガイド１４６ｂに対して回動可能に、図示しない被アーム部ガイド、被アーム部ガイド１４６ｂに接続されている。
【００３７】
次に、ロック機構７０、７０について説明する。
図８Ａは、本実施形態に係る上げ下げ窓１のロック機構７０が施錠状態且つ作業位置移動不能状態である様子を見込方向から見た説明図である。図８Ｂは、本実施形態に係る上げ下げ窓１のロック機構７０が解錠状態且つ作業位置移動不能状態である様子を見込方向から見た説明図である。図８Ｃは、本実施形態に係る上げ下げ窓１のロック機構７０が解錠状態且つ作業位置移動可能状態である様子を見込方向から見た説明図である。図８Ｄは、本実施形態に係る上げ下げ窓１のロック機構７０が施錠状態且つ作業位置移動可能状態である様子を見込方向から見た説明図である。
【００３８】
ロック機構７０，７０は、下障子３が屋内側に倒れないようにロックすることにより、下障子３が閉鎖した施錠状態を維持するための機構である。ロック機構７０，７０は、図１に示すように、上げ下げ窓１の左右に一対設けられ、下障子３の上框２１の左右方向の両端の端部側に配置される。
ロック機構７０は、施錠機構と切換機構とを有しており、図７に示すように、基体７１、ラッチ部材７２、図示しない弾性部材、摺動棒７４、第１操作部材７５、第２操作部材７６、図示しない連結部材、及び係止部６０を備えている。
【００３９】
基体７１には、第１操作部材７５、第２操作部材７６、及び摺動棒７４が摺動可能に取り付けられている。摺動棒７４は、棒状の部材である。摺動棒７４は、基体７１に係止されつつ、基体７１に対して揺動可能に、基体７１に取り付けられている。
【００４０】
第１操作部材７５は施錠機構を構成し、操作者により、下障子３解錠されるときに操作される直方体形状の部材である。即ち、第１操作部材７５は、下障子３の施錠／解錠の切換えを行うための部材である。第１操作部材７５は、屋内側に面している第２框体としての上框３１の見付面（上框３１の屋内側の面）に配置されており、図示しない連結部材を介して摺動棒７４に連結されている。第１操作部材７５は、見付方向に沿った方向へ、より具体的には、上框３１の屋内側の見付面に沿った方向であって左右方向へ、基体７１に摺動可能に取り付けられる。第１操作部材７５の摺動方向は、摺動棒７４の摺動方向と同じ方向である。第１操作部材７５によって下障子３が解錠状態とされたときに、枠体１０内において下障子３は見込方向の屋内側に傾斜可能となる。
【００４１】
ラッチ部材７２は、左右方向に延びる板状の部材である。ラッチ部材７２の長手方向の一端側が他に比べて大きく形成され、その先端の端面は多面に形成されている。ラッチ部材７２の先端側の屋内側には、端面７２ａが形成されている。
【００４２】
図示しない弾性部材は、ラッチ部材７２を左右方向の外側に付勢する。図示しない弾性部材は、弾性部材の一端が基体７１に固定され、他端がラッチ部材７２に固定される。図示しない弾性部材がラッチ部材７２を左右方向の外側に付勢することで、図７等に示すように、ラッチ部材７２は、縦枠１３、１４の一部（図７における縦枠１４の一部１４１）に当接可能となり移動が規制される。
【００４３】
第２操作部材７６は切換機構を構成し、操作者により、下障子３が解錠状態とされたときの下障子３の見込方向への傾斜位置よりも、更に見込方向へ傾斜した状態となる第２障子の作業位置への移動を可能／不能とする切換えを行う、直方体形状の部材である。第２操作部材７６の、左右方向における長さは第１操作部材７５の同方向における長さと同一であり、上下方向における長さは第１操作部材７５の同方向における長さよりも短い。第２操作部材７６は、第１操作部材７５の上端面に対向して隣接して、見込方向の屋内側に面している第２框体としての上框３１の面（上框３１の屋内側の面）に配置されている。
【００４４】
第２操作部材７６は、図示しないピボットアームを介してラッチ部材７２に連結されている。第２操作部材７６は、見付方向に沿った方向へ、より具体的には、上框３１の屋内側の面に沿った方向であって左右方向へ、基体７１に摺動可能に取り付けられる。第２操作部材７６の摺動方向は、ラッチ部材７２の摺動方向と反対の方向である。即ち、下障子３が施錠状態から解錠状態とされるときの第１操作部材７５の操作方向と、下障子の作業位置への移動を不能とする状態から移動を可能とする状態へと切換えるときの第２操作部材７６の操作方向とは、それぞれ見付面に沿った方向であり、且つ、互いに反対の方向である。下障子３が施錠状態とされ、下障子３の作業位置への移動が不能とされているときには、図８Ａに示すように、左右方向における第１操作部材７５の位置と第２操作部材７６の位置とは、一致している。
【００４５】
係止部６０は、下障子３の上方への移動を規制すると共に、下障子３が屋内側へ倒れないように規制するストッパ（規制部材）として機能する。係止部６０は、金属製の基部材６１と、樹脂製のカバー部材６２と、を有している。基部材６１は、金属製の長方形状の板状を有するとともに、長方形状の中央部が立設されて、その先端が当該板状の部分に対して平行な板状を有する部材であり、ガイド溝１３５ａ、１４５ａ内に配置されて縦枠１３、１４に固定されている。カバー部材６２は、基部材６１の当該立設された部分の先端の板状の部分を覆う樹脂製の部材である。左右の係止部６０の基部材６１の平行な板状の部材の間には、空間が形成されており、当該空間には、線状部材としてのワイヤー１３７ａ、１４７ａが、それぞれ１本ずつ、係止部６０の上端部から下端部に至るまで通されている。
【００４６】
上下方向における係止部６０の基部材６１の中央位置においては、下障子３の方向へ突出する障子規制用突出部６３が立ち上がるように設けられている。カバー部材６２は、見込方向における屋内側へ開口する屋内側開口切り欠き６４が形成された形状を有している。屋内側開口切り欠き６４は、障子規制用突出部６３を覆っているカバー部材６２の部分よりも見込方向における屋内側の位置から、カバー部材６２の屋内側の端部に至るまで形成されている。屋内側開口切り欠き６４には、被係合部としての摺動棒７４が挿入され係合する。このように係合することにより、下障子３が施錠状態となる。
【００４７】
係止部６０の下部には、下方開口切り欠き６５が形成されている。下方開口切り欠き６５は下方に向って開口しており、ワイヤー１３７ａ、１４７ａを挿入可能であるが、ワイヤー１３７ａ、１４７ａの図示しない被係止部、被係止部１４７ｂは通り抜け不能である程度の開口幅を有している。下方開口切り欠き６５にワイヤー１３７ａ、１４７ａを通し、ワイヤー１３７ａ、１４７ａの図示しない被係止部、被係止部１４７ｂを引っ掛けることにより、ワイヤー１３７ａ、１４７ａの図示しない被係止部、被係止部１４７ｂが係止され、ワイヤー１３７ａ、１４７ａがバランサー１３７、バランサー１４７に巻き上げられることを一時的に停止させる。
【００４８】
次に、ロック機構７０を解錠して、下障子３を開放させる動作について説明する。
上げ下げ窓１の閉鎖状態では、下障子３は、図１に示すように、枠体１０内において上障子２の下方に配置されている。このときには、ロック機構７０、７０は、図８Ａに示すように、ラッチ部材７２は、作業位置移動不能状態にある。このとき、ラッチ部材７２は、図示しない弾性部材により、下障子３の外方へ付勢されている。一方、摺動棒７４は縦枠１３、１４に向けて大きく突出しており、摺動棒７４の先端が、係止部６０の屋外側に配置され、係止部６０の屋内側開口切り欠き６４に係合し、係止部６０の障子規制用突出部６３に当接して、下障子３の見込方向における屋内側への移動が規制されている。これにより、下障子３は移動させることができず、閉鎖状態で、ロックされている。
【００４９】
このような閉鎖状態から、操作者は、図８Ｂに示すように、第１操作部材７５を、下障子３の左右方向の内側に移動させる。これにより、摺動棒７４が係止部６０よりも左右方向の内側に移動して、解錠される。そして、操作者は、下障子３を、屋内側に引き倒す。その後、操作者は、下障子３を引き上げることで、下障子３のガイド３３１、３４１がガイド溝１３５ａ、１４５ａ（図示せず）内を移動し、下障子３を開放させることができる。下障子３を閉める際には、上記の手順を遡るように操作する。このとき、ラッチ部材７２は、作業位置移動不能状態に維持されており、下障子３は、開放されるために引き上げ可能な程度に見込方向の屋内側に引き倒すことが可能であり、それ以上に引き倒すことができないように、規制されている。
【００５０】
次に、下障子３を作業位置へ移動させる動作について説明する。
前述のように、図８Ａに示すように下障子３が閉鎖状態でロックされている状態から、図８Ｂに示すように、第１操作部材７５を、下障子３の左右方向の内側に移動させて、下障子３を解錠し、屋内側に引き倒す。次に、操作者は、図８Ｃに示すように、第２操作部材７６を、下障子３の左右方向の外側に移動させる。すると、ラッチ部材７２が下障子３の左右方向の内側に移動させられ、作業位置移動可能状態となる。これにより、ラッチ部材７２が、縦枠１３、１４の一部１４１に当接しない状態となり、下障子３が解錠状態とされたときの下障子３の見込方向の屋内側へ引き倒された傾斜位置よりも、更に見込方向の屋内側へ傾斜した状態の位置である作業位置とすることが可能となる。操作者は、このように下障子３を作業位置として、下障子３のガラス３００の屋外側の面を清掃等する。下障子３を閉める際には、上記の手順を遡るように操作する。なお、図８Ｄに示すように、ラッチ部材７２が下障子３の左右方向の内側に移動させられた状態（作業位置移動可能状態）であっても、摺動棒７４が下障子３の左右方向の外側に移動させられていれば、下障子３は閉鎖状態でロックされている。
【００５１】
次に、下障子３を枠体１０に配置させる施工の作業について説明する。
図９は、本実施形態に係る上げ下げ窓１の係止部６０に被係止部１４７ｂを係止させた様子を示す拡大斜視図である。図１０は、本実施形態に係る上げ下げ窓１の下障子３のガイド３３１、にワイヤー１３７ａの下端部の環状とされた部分を係止させた様子を示す拡大斜視図である。図１１は、本実施形態に係る上げ下げ窓１の下障子３を枠体１０に配置させる様子を示す斜視図である。
【００５２】
先ず、下障子３が枠体１０に配置されていない状態のときに、バランサー１３７、バランサー１４７の巻き上げばねの付勢力に抗してワイヤー１３７ａ、１４７ａを引き下げて、図９に示すように、ワイヤー１３７ａ、１４７ａの中間部の図示しない被係止部、被係止部１４７ｂを、係止部６０の下方開口切り欠き６５に係止させる。次に、図１０、図１１に示すように、ワイヤー１３７ａ、１４７ａの下端部の環状の部分を下障子３のガイド３３１、３４１に係止して接続し、ガイド３３１、３４１をガイド溝１３５ａ、１４５ａに挿入する。そして、ワイヤー１３７ａ、１４７ａと共に下障子３を下方へ引き下げることにより、図示しない被係止部、被係止部１４７ｂが下方開口切り欠き６５から外れる。そして、アーム部３３２、図示しないアーム部の端部を被アーム部ガイド１４６ｂに接続する。以上の工程を経て、下障子３は、枠体１０に配置され、下障子３の開放／閉鎖が可能な状態となる。
【００５３】
本実施形態によれば、以下の効果が奏される。
本実施形態では、建具としての上げ下げ窓１は、左右の縦枠１３、１４と上下の横枠１１、１２とにより枠組みされた枠体１０と、枠体１０内に配置され、第１框体としての上側框体２０を有する第１障子としての上障子２と、枠体１０内の下方に配置され、第２框体としての下側框体３０を有する第２障子としての下障子３と、を備える。
屋内側に面している下側框体３０の見付面には、下障子３の施錠／解錠の切換えを行う施錠機構の第１操作部材７５と、下障子３が解錠状態とされたときの解錠位置よりも、見込方向へ傾斜した状態となる下障子３の作業位置への移動を可能／不能とする切換えを行う切換機構の第２操作部材７６と、が配置されている。
【００５４】
これにより、下障子３の作業位置への移動を可能／不能とする切換えを行う切換機構の第２操作部材７６の視認性を良くすることが可能となる。このため、当該切換えの操作を容易とすることが可能となる。この結果、視認しながら当該切換えの操作を行うことが可能であるため、当該切換えの誤動作の発生を抑えることができる。上げ下げ窓１が高所に配置されている場合には、特に、第１操作部材７５、第２操作部材７６の操作が容易である。
また、屋内側に面している下側框体３０の見付面に、第１操作部材７５と、第２操作部材７６と、が配置されているため、屋外側から第１操作部材７５、第２操作部材７６を視認することができず、防犯効果を高めることができる。
【００５５】
また、本実施形態では、第１操作部材７５と第２操作部材７６とは、隣接して配置され、下障子３が施錠された状態から解錠されるときの第１操作部材７５の操作方向と、下障子３の作業位置への移動を不能とする状態から移動を可能とする状態へと切換えるときの第２操作部材７６の操作方向とは、それぞれ見付面に沿った方向であり、且つ、互いに反対の方向である。
そのため、第１操作部材７５を操作して解錠させる際に、誤って第２操作部材７６まで第１操作部材７５と同一の方向へ操作してしまった場合であっても、下障子３が屋内側へ倒れて作業位置へ移動することを防止することができる。また、第１操作部材７５と第２操作部材７６とが隣接して配置されているため、解錠状態と作業位置移動可能状態とに手際よく状態を切換えることができ、作業性の向上を図ることが可能となる。
【００５６】
なお、本発明は上記実施形態に限定されるものではなく、本発明の目的を達成できる範囲での変形、改良等は本発明に含まれる。
【００５７】
例えば、本実施形態では、下障子３が枠体１０内を上下方向に移動可能に構成され、閉鎖時に下障子３が上障子２の下方の屋内側に配置されていたが、この構成に限定されない。例えば、第１操作部により解錠状態とされた第２障子は、見込方向へ全く傾斜しなくてもよい。また、第２障子は、第１操作部材により第２障子が解錠状態とされたときに見込方向に傾斜可能であり、第１操作部材によって第２障子が解錠状態とされ、且つ、第２操作部材によって、第２障子の作業位置への移動を可能とする作業位置移動可能状態とされたときに、第２障子は、第２障子が見込方向に傾斜した解錠状態位置よりも、更に見込方向へ傾斜した作業位置へ傾斜可能であってもよい。
即ち、閉鎖時に下障子が上障子と同一平面となる、いわゆる、フラットスライド構造を備えていてもよい。ここで、下障子と上障子とが同一平面とは、上障子の上側ガラスと下障子の下側ガラスとについて、上側ガラスの表面と下側ガラスの表面との見込方向の位置が同じことを意味する。下障子は、枠体内を上方側に移動する場合には、枠体内において、上障子よりも見込方向の屋内側に移動しながら上方側に移動するように構成される。
【００５８】
また、上記実施形態では、建具１は、上げ下げ窓１により構成されていたが、この構成に限定されない。例えば、建具は、上障子及び下障子を有する採風窓であって、少なくとも下障子が上下方向へ移動可能な採風窓を有するドアにより構成されてもよい。
【００５９】
また、建具の各部の構成は、上記実施形態による上げ下げ窓１の各部の構成に限定されない。例えば、上記実施形態では線状部材は、ワイヤーにより構成されたが、ワイヤーに限定されない。また、第１操作部材、第２操作部材等の構成や位置は、上記実施形態による第１操作部材７５、第２操作部材７６等の構成や位置に限定されない。また、作業位置において行われる作業は、下障子３の清掃に限定されない。
【符号の説明】
【００６０】
１…上げ下げ窓（建具）
２…上障子（第１障子）
３…下障子（第２障子）
１０…枠体
１１…上枠
１２…下枠
１３，１４…縦枠
２０…上側框体（第１框体）
３０…下側框体（第２框体）
７５…第１操作部材
７６…第２操作部材
【図１】
0006763694.tif 000002
【図２】
0006763694.tif 000003
【図３Ａ】
0006763694.tif 000004
【図３Ｂ】
0006763694.tif 000005
【図４】
0006763694.tif 000006
【図５】
0006763694.tif 000007
【図６】
0006763694.tif 000008
【図７】
0006763694.tif 000009
【図８Ａ】
0006763694.tif 000010
【図８Ｂ】
0006763694.tif 000011
【図８Ｃ】
0006763694.tif 000012
【図８Ｄ】
0006763694.tif 000013
【図９】
0006763694.tif 000014
【図１０】
0006763694.tif 000015
【図１１】
0006763694.tif 000016